(57)【要約】【課題】信号品質を維持しながら画像信号を信号線を介して転送する際のノイズの発生を抑制させる。【解決手段】画像データをＬＣＤコントローラーから複数の信号線を有する伝送ケーブルを介してＬＣＤに転送して画面表示を行なう場合に、画像データを先頭ラインから順に信号線Ｄ０〜Ｄ３の数に応じて複数ラインずつ入力し、入力した各ラインにおける画像データのＰ／Ｔ値をそれぞれ計算して割り付け判定用値Ｐ／Ｔとし、割り付け判定用値Ｐ／Ｔが大きい画像データを信号線Ｄ０〜Ｄ３のうちでグランド線ＧＮＤとのループ面積が小さな信号線に割り付けて転送する。これにより、信号の品質を維持しながら、全体で発生する放射ノイズを低減させることができる。【選択図】図７
2011227321.tif 000002
【特許請求の範囲】
【請求項１】
表示部と、複数本の信号線とグランド線とを介して前記表示部に接続された制御部とを備え、画像信号を前記制御部から前記複数本の信号線を介して前記表示部に転送することにより画像を表示する画像表示装置であって
前記信号線に対して前記制御部側に設けられ、前記画像信号を前記信号線の数だけ所定順に分割してそれぞれ解析し、該解析した各画像信号のうち信号変化が多い画像信号ほど前記グランド線に近い信号線に割り付けて各画像信号と割り付けられた信号線との対応関係と共に前記表示部側に転送する送信部と、
前記信号線に対して前記表示部側に設けられ、前記送信部から前記画像信号と前記対応関係とを入力し、該入力した画像信号を前記入力した対応関係を用いて元の順序に戻して前記表示部に出力する受信部と
を備える画像表示装置。
【請求項２】
前記送信部は、前記画像信号の１周期当たりのオン信号の割合を演算し、該演算した割合が大きい信号ほど前記グランド線に近い信号線に割り付けて送信する部である請求項１記載の画像表示装置。
【請求項３】
前記送信部は、前記各画像信号の転送に先立って前記対応関係を転送する部である請求項１または２記載の画像表示装置。
【請求項４】
前記送信部は、ライン単位で前記画像信号を分割して前記複数本の信号線に割り付けて前記受信部に転送する部である請求項１ないし３いずれか１項に記載の画像表示装置。
【請求項５】
表示部を備えるコンピューターを、請求項１ないし４いずれか１項に記載の画像表示装置として機能させるためのプログラム。
【発明の詳細な説明】
【技術分野】
【０００１】
本発明は、表示部と、複数本の信号線とグランド線とを介して前記表示部に接続された制御部とを備え、画像信号を前記制御部から前記複数本の信号線を介して前記表示部に転送することにより画像を表示する画像表示装置およびプログラムに関する。
【背景技術】
【０００２】
従来より、ＣＰＵを搭載するメイン制御板と、ヘッドドライバーを制御する印字ヘッド制御板とが伝送ケーブルを介して接続され、二つの制御板間で画像データなどの信号を伝送する場合には、信号電圧を低下させて伝送ケーブルに出力するものが提案されている（例えば、特許文献１参照）。この制御回路では、制御板の内部電圧である５Ｖの信号を３．３Ｖに低下させて信号自体のパワーを低減させることにより、放射ノイズや誘導ノイズの発生を抑制することができる、としている。
【先行技術文献】
【特許文献】
【０００３】
【特許文献１】特開平１１−３１５８１４号公報
【発明の概要】
【発明が解決しようとする課題】
【０００４】
しかしながら、上述した装置では、ノイズの発生を抑制することができるものの、信号自体のパワーを低減するため、信号品質は低くなり、信号伝送の信頼性を低下させる場合が生じる。
【０００５】
本発明の画像表示装置およびプログラムは、信号品質を維持しながら画像信号を信号線を介して転送する際のノイズの発生を抑制させることを主目的とする。
【０００６】
本発明の画像表示装置およびプログラムは、上述の主目的を達成するために以下の手段を採った。
【課題を解決するための手段】
【０００７】
本発明の画像表示装置は、
表示部と、複数本の信号線とグランド線とを介して前記表示部に接続された制御部とを備え、画像信号を前記制御部から前記複数本の信号線を介して前記表示部に転送することにより画像を表示する画像表示装置であって
前記信号線に対して前記制御部側に設けられ、前記画像信号を前記信号線の数だけ所定順に分割してそれぞれ解析し、該解析した各画像信号のうち信号変化が多い画像信号ほど前記グランド線に近い信号線に割り付けて各画像信号と割り付けられた信号線との対応関係と共に前記表示部側に転送する送信部と、
前記信号線に対して前記表示部側に設けられ、前記送信部から前記画像信号と前記対応関係とを入力し、該入力した画像信号を前記入力した対応関係を用いて元の順序に戻して前記表示部に出力する受信部と
を備えることを要旨とする。
【０００８】
この本発明の画像表示装置では、表示部と制御部とが複数本の信号線とグランド線とを介して接続され、画像信号を制御部から複数本の信号線を介して表示部に転送することにより画像を表示するものにおいて、信号線に対して制御部側に設けられた送信部が、画像信号を信号線の数だけ順次分割してそれぞれ解析し解析した各画像信号のうち信号変化が多い画像信号ほどグランド線に近い信号線に割り付けて各画像信号と割り付けられた信号線との対応関係と共に表示部側に転送し、信号線に対して表示部側に設けられた受信部が、送信部から画像信号と対応関係とを入力し入力した画像信号を入力した対応関係を用いて元の順序に戻して表示部に出力する。これにより、複数本の信号線を用いて画像信号を転送する際に画像信号の品質を維持しながらノイズレベルを低減させることができる。
【０００９】
こうした本発明の画像表示装置において、前記送信部は、前記画像信号の１周期当たりのオン信号の割合を演算し、該演算した割合が大きい信号ほど前記グランド線に近い信号線に割り付けて送信する部であるものとすることもできる。こうすれば、簡易な演算により画像信号のうち信号変化が多い信号を特定することができる。
【００１０】
また、本発明の画像表示装置において、前記送信部は、前記各画像信号の転送に先立って前記対応関係を転送する部であるものとすることもできる。こうすれば、受信部は受信した画像信号をスムーズに表示部に出力することができる。
【００１１】
さらに、本発明の画像表示装置において、前記送信部は、ライン単位で前記画像信号を分割して前記複数本の信号線に割り付けて前記受信部に転送する部であるものとすることもできる。
【００１２】
本発明のプログラムは、表示部を備えるコンピューターを上述した各態様のいずれかの本発明の画像表示装置として機能させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムをコンピュータに実行させれば、上述した画像表示装置と同様の効果を得ることができる。
【図面の簡単な説明】
【００１３】
【図１】本実施形態のプリンター２０の外観斜視図。
【図２】本実施形態のプリンター２０の機能ブロック図。
【図３】ＬＣＤコントローラー６０とＬＣＤ２５との間の信号伝送系の概略図。
【図４】画像データの転送の形態を示す説明図。
【図５】信号の周波数とエネルギーとの関係を示す説明図。
【図６】送信部７０の機能ブロックを示すブロック図。
【図７】割り付け制御ルーチンの一例を示すフローチャート。
【図８】各種信号や処理の時間変化の様子を示す説明図。
【図９】受信部８０の機能ブロックを示すブロック図。
【発明を実施するための形態】
【００１４】
次に、本発明の実施の形態を図面に基づいて説明する。図１は、本発明の一実施形態であるプリンター２０の外観を示す外観斜視図であり、図２は、本実施形態のプリンター２０の機能ブロックを示すブロック図である。
【００１５】
本実施形態のプリンター２０は、印刷機構４０（図２参照）を内蔵しＬ版サイズの用紙に印刷を行なうフォトプリンターとして構成されており、その外観としては、図１に示すように、本体２１の上面には本体２１を持ち運ぶための取っ手２２が、本体２１の背面にはセットした用紙を自動給紙するオートシートフィーダー２３が、本体２１の前面には印刷機構４０により印刷された用紙を保持する排紙トレイ２４と写真や印刷時の設定を確認するための液晶ディスプレイ（ＬＣＤ）２５が、本体２１の側面には電源をオンオフするための電源ボタン２６が、それぞれ設けられている。また、本体２１の前面には、排紙トレイ２４に隣接した位置に赤外線通信ポート２８（受光部）が設けられており、この赤外線通信ポート２８に発光部３０ａを向けてリモートコントロール装置３０を操作することにより、プリンター２０を遠隔操作できるようになっている。なお、リモートコントロール装置３０は、プリンター２０を遠隔操作するためのボタン類として、電源をオンオフするための電源ボタン３１と、印刷中に押されると印刷を中止し写真選択画面で押されると印刷枚数や写真の選択を解除するストップ／設定クリアボタン３２と、トップメニュー画面を表示するためのトップメニューボタン３３と、印刷枚数を設定するための印刷枚数設定ボタン３４と、項目や設定値を選択するための上下左右ボタン３５と、項目を決定したり次の画面に進むためのＯＫボタン３６と、一つ前の画面に戻る戻るボタン３７と、印刷を開始する印刷ボタン３８と、設定画面を表示する設定ボタン３９などを備える。
【００１６】
印刷機構４０は、図２に示すように、左右方向（主走査方向）にループ状に架け渡されたキャリッジベルト４３により駆動されガイド４２に沿って左右に往復するキャリッジ４１と、キャリッジ４１にシアン・マゼンタ・イエロー・ブラック等の各色のインクを供給するインクカートリッジ４４と、各インクカートリッジ４４から供給された各インクに圧力をかけてノズルから用紙Ｓに向けてインクを吐出する印刷ヘッド４５と、副走査方向に用紙Ｓを搬送する搬送ローラー４６とを備える。インクカートリッジ４４は、印刷機構４０の下方に取り付けられており、インクカートリッジ４４がキャリッジ４１上に搭載されていない、いわゆるオフキャリッジタイプである。印刷ヘッド４５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。
【００１７】
ＬＣＤ２５は、ＬＣＤコントローラー６０による表示制御を受けて文字や図形，記号などを表示する。ＬＣＤ２５は、本実施形態では、９６０ドット×２４０ドットの画素により構成されており、９６０ドット分の画像データにより１ラインが形成され、２４０ラインのラインデータにより１フレーム（１画像）が形成される。
【００１８】
また、本実施形態のプリンター２０は、その制御系としては、図２に示すように、プリンター全体の制御を司るメインコントローラー５０と、印刷機構４０を制御するプリンターＡＳＩＣ４８と、赤外線通信ポート２８を介して入力した赤外線信号を操作信号として処理する赤外線通信コントローラー５６と、ＬＣＤ２５を表示制御するＬＣＤコントローラー６０と、メモリーカードスロット５７に挿入されたメモリーカードＭＣに対するデータの書き込みや読み出しを制御するメモリーカードコントローラー５８と、を備え、これらはバス５９を介して互いに電気的に接続されている。
【００１９】
メインコントローラー５０は、ＣＰＵ５１を中心とするマイクロプロセッサーとして構成されており、各種処理プログラムや各種データ、各種テーブルなどを記憶するＲＯＭ５２と、一時的にデータを記憶するＲＡＭ５３と、電気的に書き換え可能で電源を切ってもデータは保持されるフラッシュメモリー５４と、電源ボタン２６からの操作信号を入力するインターフェース５５（Ｉ／Ｆ）とを備える。このメインコントローラー５０は、メモリーカードスロット５７に挿入されたメモリーカードＭＣから画像ファイルなどを入力したり、赤外線通信コントローラー５６からの操作信号や印刷機構４０の各部からの検出信号などを入力したりする。また、メインコントローラー５０は、メモリーカードＭＣに編集画像などを保存したり、プリンターＡＳＩＣ４８への指令信号やＬＣＤコントローラー６０への制御信号を出力したりする。
【００２０】
図３は、ＬＣＤコントローラー６０とＬＣＤ２５との間の信号伝送系の構成の概略を示す構成図である。図示するように、ＬＣＤコントローラー６０側には送信部７０が設けられ、ＬＣＤ２５側には受信部８０が設けられており、送信部７０と受信部８０は伝送ケーブル９０を介して接続されている。伝送ケーブル９０は、図示するように、コネクタピン番号が１番のグランド線ＧＮＤと、２番の１画素のデータの読み出しのタイミングを定めるクロック線ＤＣＬＫと、３番のグランド線ＧＮＤと、４番の信号線Ｄ０と、５番の信号線Ｄ１と、６番の信号線Ｄ２と、７番の信号線Ｄ３と、８番のグランド線ＧＮＤと、９番の水平同期線ＨＳＹＮＣと、１０番の垂直同期線ＶＳＹＮＣと、１１番のグランド線ＧＮＤと、１２番の電源線ＶＣＣとがこの順に配列されたフレキシブルフラットケーブルとして構成されている。本実施形態では、画像データをコネクタピン番号が４番〜７番の４本の信号線Ｄ０〜Ｄ３を用いてＬＣＤコントローラー６０からＬＣＤ２５に転送するものとしている。図４に、画像データの転送の形態を示す。図中のＰ０，０〜Ｐ０，ｎ（ｎは横方向の解像度）は第０ラインの画素データを示し、Ｐ１，０〜Ｐ１，ｎは第１ラインの画素データを示し、Ｐ２，０〜Ｐ２，ｎは第２ラインの画素データを示し、Ｐ３，０〜Ｐ３，ｎは第３ラインの画素データを示す。なお、１画素は、第０〜第７ビットのＲ（赤）のビットデータであるＲ０〜Ｒ７と、第０〜第７ビットのＧ（緑）のビットデータであるＧ０〜Ｇ７と、第０〜第７ビットのＢ（青）のビットデータであるＢ０〜Ｂ７とにより構成されている。データ伝送は、図４に示すように、画像データをライン単位で信号線Ｄ０〜Ｄ３に順次割り付けて同時に送信することにより行なわれる。
【００２１】
図５は、伝送ケーブル９０を通過する信号の周波数とエネルギーとの関係を示す説明図である。いま、伝送ケーブル９０を通過する信号を、信号が立ち上がる周期をＴ、信号の立ち上がり時間をτ、信号電圧の振幅をＡ、オン期間（信号１の期間）をＰとする信号波として考える。この信号波をフーリエ変換すると、信号のエネルギーは、図５に示すように、周波数がＦ１（＝１／（πＰ））までは２Ａ（Ｐ／Ｔ）であり、周波数がＦ１を超えると、周波数がＦ２（＝１／（πτ））となるまで２０ｄＢ／Ｄｅｃａｄｅで減衰し、周波数がＦ２を超えると、４０ｄＢ／Ｄｅｃａｄｅで減衰する。したがって、２Ａ（Ｐ／Ｔ）が大きい信号ほど（振幅Ａが固定の場合を考えるとＰ／Ｔが大きい信号ほど）、伝送ケーブル９０を信号が通過する際に発生する放射ノイズが大きくなることがわかる。
【００２２】
ＬＣＤコントローラー６０は、メインコントローラー５０から１フレーム分の画像データ（ＲＧＢデータ）を入力してＶＲＡＭとしてのＳＤＲＡＭ６２に保存し、図示しない同期信号発生部から垂直同期信号ＶＳＹＮＣが出力されると、１フレーム分の画像データの読み出しを先頭ラインから順次行ない、水平同期信号ＨＳＹＮＣが出力される度に、４ライン分の画像データを読み出して送信部７０に出力する。４ライン分の画像データを入力した送信部７０は、入力した４ライン分の画像データをライン単位で順序を入れ替えながら４本の信号線Ｄ０〜Ｄ３のいずれかに割り付けて同時に受信部８０に転送する。受信部８０は、送信部７０から４ライン分の画像データを受信すると、画像データの順序を元に戻してＬＣＤ２５に順次出力することにより画像をＬＣＤ２５に表示させる。画像データの順序を入れ替えて転送する場合についての詳細は後述する。
【００２３】
次に、こうして構成された本実施形態のプリンター２０の動作、特に、送信部７０と受信部８０の動作について説明する。まず、送信部７０の動作について説明する。
【００２４】
図６は、送信部７０の機能ブロックを示すブロック図である。送信部７０は、ＬＣＤコントローラー６０から画像データをライン単位で入力する４つの入力ラインＩＮ０〜ＩＮ１にそれぞれ４つのＰ／Ｔ計算部７１ａ〜７１ｄを介して接続された４つのラインバッファー７２ａ〜７２ｄと、４つのＰ／Ｔ計算部７１ａ〜７１ｄの計算結果をそれぞれ格納する４つのＰ／Ｔ値格納部７３ａ〜７３ｄに接続された割り付け制御部７４と、割り付け制御部７４の割り付け信号用ポートに接続され割り付け信号に応じて４つのラインバッファー７２ａ〜７２ｄを選択的に出力側と接続するセレクター７５ａと、セレクター７５ａの出力側と信号線Ｄ０との接続と割り付け制御部７４の順番指定用ポートと信号線Ｄ０との接続とを選択的に行なうセレクター７６ａと、割り付け制御部７４の割り付け信号用ポートに接続され割り付け信号に応じて４つのラインバッファー７２ａ〜７２ｄを選択的に出力側と接続するセレクター７５ｂと、セレクター７５ｂの出力側と信号線Ｄ１との接続と割り付け制御部７４の順番指定用ポートと信号線Ｄ１との接続とを選択的に行なうセレクター７６ｂと、割り付け制御部７４の割り付け信号用ポートに接続され割り付け信号に応じて４つのラインバッファー７２ａ〜７２ｄを選択的に出力側と接続するセレクター７５ｃと、セレクター７５ｃの出力側と信号線Ｄ２との接続と割り付け制御部７４の順番指定用ポートと信号線Ｄ２との接続とを選択的に行なうセレクター７６ｃと、割り付け制御部７４の割り付け信号用ポートに接続され割り付け信号に応じて４つのラインバッファー７２ａ〜７２ｄを選択的に出力側と接続するセレクター７５ｄと、セレクター７５ｄの出力側と信号線Ｄ３との接続と割り付け制御部７４の順番指定用ポートと信号線Ｄ３との接続とを選択的に行なうセレクター７６ｄと、を備える。ここで、Ｐ／Ｔ計算部７１ａ〜７１ｄは、本実施形態では、それぞれ対応する入力ラインＩＮ０〜ＩＮ３から入力したデータ（ビットデータ）のうち信号が１の数ＮＯ１を計測し、計測した１の数ＮＯ１を総データ数ＮＯＡで除することによりＰ／Ｔ値を計算するものとした。
【００２５】
図７は、送信部７０の割り付け制御部７４により実行される割り付け制御ルーチンの一例を示すフローチャートである。割り付け制御ルーチンが実行されると、割り付け制御部７４は、まず、Ｐ／Ｔ値格納部７３ａ〜７３ｄに格納されている４つのＰ／Ｔ値を入力する（ステップＳ１００）。続いて、入力した４つのＰ／Ｔ値のうち大きい順に上位２つの画像データと下位２つの画像データとを特定し（ステップＳ１１０）、上位２つの画像データを信号線Ｄ０，Ｄ３に割り付けると共に（ステップＳ１２０）、下位２つの画像データを信号線Ｄ１，Ｄ２に割り付け（ステップＳ１３０）、各割り付けに応じてラインバッファー７２ａ〜７２ｄと信号線Ｄ０〜Ｄ３とが接続されるようセレクター７５ａ〜７５ｄに対応する割り付け信号を出力すると共に（ステップＳ１４０）、ラインの並び順を受信部８０側に通知するための順番指定信号を対応するセレクター７６ａ〜７６ｄに出力して（ステップＳ１５０）、本ルーチンを終了する。本実施形態では、図３に示すように、信号線Ｄ０，Ｄ３はいずれもグランド線ＧＮＤに隣接して配置され、信号線Ｄ１，Ｄ２は信号線Ｄ０，Ｄ３よりもグランド線ＧＮＤから遠い位置に配置されているから、グランド線ＧＮＤとの間で形成されるループの面積は信号線Ｄ０，Ｄ３の方が信号線Ｄ１，Ｄ２よりも小さい。即ち、信号線Ｄ０，Ｄ３を通る信号は、信号線Ｄ１，Ｄ２を通る信号よりも放射ノイズが発生し難くなる。したがって、Ｐ／Ｔ値が大きい上位２つのライン（画像データ）をループ面積が小さな信号線Ｄ０，Ｄ３に割り付けると共に下位２つのライン（画像データ）をループ面積が大きな信号線Ｄ１，Ｄ２に割り付けることにより、全体で発生する放射ノイズを低減させることができる。各画像データのＰ／Ｔ値に基づいて信号線Ｄ０〜Ｄ４に割り付ける画像データを入れ替えるのは、こうした理由に基づいている。
【００２６】
図８は、水平同期信号ＨＳＹＮＣの転送と画像信号（Ｄ０〜Ｄ４）の転送と割り付け判定用値Ｐ／Ｔの計算と順番指定信号の送信の時間変化の様子を示す説明図である。図示するように、ＲＧＢデータの転送は、水平同期信号ＨＳＹＮＣが１から０に反転したときに開始され、順番指定信号の送信は、ＲＧＢデータの転送に先立って行なわれる。
【００２７】
図９は、受信部８０の機能ブロックを示すブロック図である。受信部８０は、信号線Ｄ０〜Ｄ３とラインバッファー８４ａとの接続を選択的に行なうセレクター８２ａと、信号線Ｄ０〜Ｄ３とラインバッファー８４ｂとの接続を選択的に行なうセレクター８２ｂと、信号線Ｄ０〜Ｄ３とラインバッファー８４ｃとの接続を選択的に行なうセレクター８２ｃと、信号線Ｄ０〜Ｄ３とラインバッファー８４ｄとの接続を選択的に行なうセレクター８２ｄと、信号線Ｄ０〜Ｄ３から順番指定信号を入力して各セレクター８２ａ〜８２ｄを制御する順番制御部８６と、を備える。いま、送信部７０から１番目のラインが信号線Ｄ１に割り付けられ、２番目のラインが信号線Ｄ３に割り付けられ、３番目のラインが信号線Ｄ０に割り付けられ、４番目のラインが信号線Ｄ２に割り付けられて各信号線Ｄ０〜Ｄ３から画像データが送信された場合を考える。この場合、順番制御部８６は、送信部７０から送信された順番指定信号に基づいて、信号線Ｄ１とラインバッファー８４ａとが接続されるようセレクター８２ａを制御し、信号線Ｄ３とラインバッファー８４ｂとが接続されるようセレクター８２ｂを制御し、信号線Ｄ０とラインバッファー８４ｃとが接続されるようセレクター８２ｃを制御し、信号線Ｄ２とラインバッファー８４ｄとが接続されるようセレクター８２ｄを制御する。これにより、ラインバッファー８４ａには１番目のラインの画像データが格納され、ラインバッファー８４ｂには２番目のラインの画像データが格納され、ラインバッファー８４ｃには３番目のラインの画像データが格納され、ラインバッファー８４ｄには４番目のラインの画像データが格納されるため、画像データは元の順番に戻されてＬＣＤ２５に送られることになる。
【００２８】
ここで、本実施形態の構成要素と本発明の構成要素との対応関係を明らかにする。本実施形態の液晶ディスプレイ（ＬＣＤ）２５が本発明の「表示部」に相当し、ＬＣＤコントローラー６０が「制御部」に相当し、送信部７０が「送信部」に相当し、受信部８０が「受信部」に相当する。
【００２９】
以上説明した本実施形態のプリンター２０によれば、画像データをＬＣＤコントローラー６０から伝送ケーブル９０を介してＬＣＤ２５に転送して画面表示を行なう場合に、画像データを先頭ラインから順に伝送ケーブル９０の信号線Ｄ０〜Ｄ３の数に応じて複数ラインずつ入力し、入力した各ラインにおける画像データのＰ／Ｔ値をそれぞれ計算して割り付け判定用値Ｐ／Ｔとし、割り付け判定用値Ｐ／Ｔが大きい画像データを信号線Ｄ０〜Ｄ３のうちでグランド線ＧＮＤとのループ面積が小さな信号線に割り付けて転送するから、信号の品質を維持しながら、全体で発生する放射ノイズを低減させることができる。しかも、送信部７０は、画像データの転送に先立ってラインの並び順を通知するための順番指定信号を送信するから、受信部８０は事前にセレクター８４ａ〜８４ｄにより信号線Ｄ０〜Ｄ３とラインバッファー８４ａ〜８４ｄとの接続関係を設定することができ、信号線Ｄ０〜Ｄ３から画像データを入力するだけで、画像データのラインの順序を元に戻すことができる。また、Ｐ／Ｔ値は、入力ラインＩＮ０〜ＩＮ３から入力したデータ（ビットデータ）のうち信号が１の数ＮＯ１を計測し、計測した１の数ＮＯ１を総データ数ＮＯＡで除することにより計算するものとしたから、簡易な処理によりＰ／Ｔ値を導出することができる。
【００３０】
上述した実施形態では、画像データを入力する度にＰ／Ｔ値を計算すると共に計算したＰ／Ｔ値に応じて入力した画像データを複数本の信号線Ｄ０〜Ｄ３のいずれかに割り付けるものとしたが、これに限られず、過去に計算したＰ／Ｔ値を後続する画像データの割り付けに用いるものとしてもよい。
【００３１】
上述した実施形態では、信号線Ｄ０〜Ｄ３にライン単位で画像データを割り付けてＬＣＤ２５側に転送するものとしたが、これに限られず、１フレーム単位でデータを割り付けて転送するものとするなど、如何なる単位でデータを割り付けるものとしてもよい。
【００３２】
上述した実施形態では、４つの信号線Ｄ０〜Ｄ３に画像データを割り付けて同時に転送するものとしたが、これに限られず、グランド線との間で形成するループの面積が異なる２本以上の信号線を有するものであれば、信号線の本数は如何なる本数であっても構わない。
【００３３】
上述した実施形態では、本発明を液晶ディスプレイ２５付きのプリンター２０に適用して説明したが、これに限られず、ディスプレイを備える機器であれば、例えば、ＦＡＸ機器やビューワー，パーソナルコンピューターなど如何なる機器に適用するものとしてもよい。また、ディスプレイも液晶ディスプレイに限られず、プラズマディスプレイや有機ＥＬディスプレイなど複数の画素により構成される如何なるディスプレイに適用するものとしてもよい。
【００３４】
なお、本発明は上述した実施形態に何ら限定されることはなく、本発明の技術的範囲に属する限り種々の態様で実施し得ることはいうまでもない。
【符号の説明】
【００３５】
２０  プリンター、２１  本体、２２  取っ手、２３  オートシートフィーダー、２４  排紙トレイ、２５  液晶ディスプレイ、２６  電源ボタン、２８  赤外線通信ポート、３０  リモートコントロール装置、３０ａ  発光部、３１  電源ボタン、３２  ストップ／設定クリアボタン、３３  トップメニューボタン、３４  印刷枚数設定ボタン、３５  上下左右ボタン、３６  ＯＫボタン、３７  戻るボタン、３８  印刷ボタン、３９  設定ボタン、４０  印刷機構、４１  キャリッジ、４２  ガイド、４３  キャリッジベルト、４４  インクカートリッジ、４５  印刷ヘッド、４６  搬送ローラー、４８  プリンターＡＳＩＣ、５０  メインコントローラー、５１  ＣＰＵ、５２  ＲＯＭ、５３  ＲＡＭ、５４  フラッシュメモリー、５５  インターフェース（Ｉ／Ｆ）、５６  赤外線通信コントローラー、５７  メモリーカードスロット、５８  メモリーカードコントローラー、６０  ＬＣＤコントローラー、６２  ＳＤＲＡＭ、７０  送信部、７１ａ〜７１ｄ  Ｐ／Ｔ計算部、７２ａ〜７２ｄ  ラインバッファー、７３ａ〜７３ｄ  Ｐ／Ｔ値格納部、７４  割り付け制御部、７５ａ〜７５ｄ，７６ａ〜７６ｄ  セレクター、８０  受信部、８２ａ〜８２ｄ  セレクター、８４ａ〜８４ｄ  ラインバッファー、８６  順番制御部、９０  伝送ケーブル、ＭＣ  メモリーカード。
【図１】
2011227321.tif 000003
【図２】
2011227321.tif 000004
【図３】
2011227321.tif 000005
【図４】
2011227321.tif 000006
【図５】
2011227321.tif 000007
【図６】
2011227321.tif 000008
【図７】
2011227321.tif 000009
【図８】
2011227321.tif 000010
【図９】
2011227321.tif 000011